(57)【特許請求の範囲】
【請求項１】
箱型に組み立てられた状態から、相対する一方の側壁を底部に重なるように倒した後、相対するもう一方の側壁を、先に倒された側壁に重なるように倒すことにより、折り畳むように構成された折り畳みコンテナーにおいて、後から倒される側壁の端部垂直フランジには、底部に配設されたヒンジ雌部が挿入可能な複数の凹部が形成されているとともに、後から倒される側壁の端部垂直フランジに形成された前記複数の凹部のうち、上方に位置する凹部には、先に倒される側壁に配設されたロック部材のロックブロックが嵌合されるように構成されていることを特徴とする折り畳みコンテナー。
【発明の詳細な説明】
【０００１】
【発明の属する技術分野】
本発明は、底部を囲むように配設された側壁を、略垂直に立てられ箱型に組み立てられた状態から、略水平状態に倒されたコンパクトな状態に折り畳むことが可能な折り畳みコンテナーに関するものである。
【０００２】
【従来の技術】
従来，折り畳みコンテナーが箱型に組み立てられた状態から、底部を囲むように配設された４枚の側壁のうち、一方の相対する２枚の側壁を、互いに接近する方向に、底部に重なるように倒し、次いで、もう一方の相対する２枚の側壁を、同じく、互いに接近する方向に倒して、既に、底部に重なるように倒されている側壁の上に重ねるようにして、コンパクトに折り畳むように構成された折り畳みコンテナーが知られている。
【０００３】
【発明が解決しようとする課題】
従来の折り畳みコンテナーには、折り畳みコンテナーを折り畳んだ状態の高さが高いために、折り畳んだ状態の折り畳みコンテナーの収容効率が悪いという問題があった。また、折り畳んだ状態において、底部に形成されたヒンジ部材が側部に露出しているので、強度的に弱いヒンジ部材が破損するという問題があった。
【０００４】
本発明の目的は、上述した従来の折り畳みコンテナーが有する課題を解決することにある。
【０００５】
【課題を解決するための手段】
本発明は、上述した目的を達成するために、箱型に組み立てられた状態から、相対する一方の側壁を底部に重なるように倒した後、相対するもう一方の側壁を、先に倒された側壁に重なるように倒すことにより、折り畳むように構成された折り畳みコンテナーにおいて、後から倒される側壁の端部垂直フランジには、底部に配設されたヒンジ雌部が挿入可能な複数の凹部が形成されているとともに、後から倒される側壁の端部垂直フランジに形成された前記複数の凹部のうち、上方に位置する凹部には、先に倒される側壁に配設されたロック部材のロックブロックが嵌合されるように構成したものである。
【０００６】
【実施例】
以下に、本発明の実施例について説明するが、本発明の趣旨を越えない限り何ら、本実施例に限定されるものでない。
【０００７】
本発明の折り畳みコンテナーは、底部１と相対する長側壁２と相対する短側壁３とから構成されており、図１に示されている箱型に組み立てられた状態から、図２に示されているように．短側壁３を倒して底部１の上に重ね、次いで、長側壁２を倒して、図３に示されているように、底部１に重ねられた短側壁３の上に重ねることにより、折り畳むように構成されている。更に、本発明の折り畳みコンテナーは、図１に示されているように、箱型に組み立てられた状態において、図４に示されているように、短側壁３を上方に持ち上げることができるように構成されており、短側壁３を上方に持ち上げた状態から、短側壁３を、図５に示されているように、底部１から遠ざかる方に回動させて、略水平状態とすることができ、従って、箱型に組み立てられた折り畳みコンテナーの側方を、開放できるように構成されている。このように、箱型に組み立てられた折り畳みコンテナーの側方が、開放可能に構成されているので、上述したように、箱状物品やパック等の物品が、ぎっしりと隙間のないように収容されている場合でも、開口された側方から、容易に、物品を取り出すことができる。
【０００８】
以下に、上述した機能を有する本発明の実施例について説明する。
【０００９】
図６に示されているように、底部１は、平面形状が略長方形に形成されており、底部１の相対する長辺側には、長辺側土手部１ａが形成されている。長辺側土手部１ａの外側上面には、上方に延在する外壁（以下、長辺側外壁という。）１ａ１が形成されており、また、長辺側土手部１ａの内側上面には、長辺側ヒンジ雌部４を構成する板状部４ａが上方に延在するとともに、板状部４ａの上部には、その先端が長辺側外壁１ａ１方向に湾曲したフック４ｂが形成されている。長辺側土手部１ａには、板状部４ａとフック４ｂとからなる長辺側ヒンジ雌部４が、所定の間隔で適当数、形成されている（本実施例には、３個の長辺側ヒンジ雌部４が形成されている例が示されている。）。なお、長辺側ヒンジ雌部４は、長辺側外壁１ａ１と略同じ高さに形成されている。長辺側土手部１ａの両端部付近には、その上面に、長辺側土手部１ａの長手方向に沿って水平な軸孔５ａが穿設された底部側軸受け凸部５が形成されている。
【００１０】
また、底部１の短辺側には、長辺側土手部１ａに形成された外壁１ａ１より、高さの低い外壁（以下、短辺側外壁という。）１ｂが形成されており、短辺側外壁１ｂを上方に延長することにより、突片６ａが所定の間隔で適当数、形成されている。また、短辺側外壁１ｂに沿って、且つ、突片６ａと相対する位置に、上部に、突片６ａ方向に湾曲したフック６ｂ１を有する板状部６ｂが、底部１の上面から立設されており、突片６ａとフック６ｂ１を有する板状部６ｂとにより、短辺側ヒンジ雌部６が構成されている。なお、突片６ａの上端とフック６ｂ１の上端とは、略同じ高さに形成されている。本実施例には、短辺側ヒンジ雌部６が、４個、配設されている例が示されている。
【００１１】
底部１の４つの角部には、長辺側外壁１ａ１及び短辺側に形成された短辺側ヒンジ雌部６を越えて上方に延在する、平面形状が略Ｌ字状の角部ブロック７が形成されている。本実施例においては、角部ブロック７の短辺側の側面には、凹部７ａが形成されており、角部ブロック７の凹部７ａが形成されている奥に位置する壁部７ｂには、長辺側土手部１ａの両端部付近に形成された底部側軸受け凸部５に穿設された水平な軸孔５ａに一致するような軸孔７ｃが穿設されている。
【００１２】
１ｃは、短辺側に位置する底部１の裏面の両端部付近に垂設された、正面形状が横長の長方形状の短辺側係止段部であり、１ｄは、長辺側に位置する底部１の裏面に垂設された、正面形状が横長の長方形状の長辺側係止段部である。短辺側係止段部１ｃと長辺側係止段部１ｄの機能については、後述する。
【００１３】
次に、主として、図７〜図１２を用いて短側壁３について説明する。
【００１４】
短側壁３は、横長の略長方形状の板状部３ａと、板状部３ａの下端から板状部３ａに垂直に外方向に向かって延在する下部フランジ３ｂとを有しており、下部フランジ３ｂには、底部１の短辺側に沿って形成された短辺側ヒンジ雌部６の短辺側外壁１ｂより上方に突出している部分が挿入可能な、下方が開放された凹部３ｃが形成されている。本実施例においては、４つの短辺側ヒンジ雌部６が形成されているので、４つの凹部３ｃが形成されている。凹部３ｃの両側に位置する下部フランジ３ｂには、底部１に形成された短辺側ヒンジ雌部６の横幅ｗ１（短辺側外壁１ｂの横方向に沿った長さ）より、若干、広い内幅ｗ２を有する垂直片８ａが垂設されており、垂直片８ａ間には、水平ピン８ｂが張設されており、一対の垂直片８ａと水平ピン８ｂとにより、短側壁ヒンジ雄部８が構成されている。
【００１５】
短側壁３には、板状部３ａの上端から板状部３ａに垂直に外方向に向かって延在する上部フランジ３ｄが形成されており、また、板状部３ａの両垂直縁に沿って、上部フランジ３ｄと下部フランジ３ｂの両端部を連結する端部垂直フランジ３ｅが形成されている。更に、端部垂直フランジ３ｅの内側には、所定の間隔を置いて、上部フランジ３ｄと下部フランジ３ｂを連結する内側垂直フランジ３ｆが形成されている。なお、必要に応じて、板状部３ａには、水平リブ３ｇや垂直リブ３ｈが形成されている。下部フランジ３ｂ、上部フランジ３ｄ、端部垂直フランジ３ｅ、内側垂直フランジ３ｆ及び必要に応じて、適宜、形成される水平リブ３ｇや垂直リブ３ｈは、板状部３ａの同じ面に形成されており、箱型に折り畳みコンテナーを組み立てた際には、外側に位置するように構成されている。
【００１６】
３ｉは、上部フランジ３ｄの両端部付近に形成された係止凸部である。箱型に組み立てられた折り畳みコンテナーを段積みした際に、上に位置する箱型に組み立てられた折り畳みコンテナーの底部１に形成された短辺側係合段部１ｃが、下に位置する箱型に組み立てられた折り畳みコンテナーの上部フランジ３ｄに形成された係止凸部３ｉに接近して配置されるように構成されており、上に位置する箱型に組み立てられた折り畳みコンテナーが、下に位置する箱型に組み立てられた折り畳みコンテナーに対して、底部１の短辺に沿って水平移動することが規制され、上に位置する箱型に組み立てられた折り畳みコンテナーが、下に位置する箱型に組み立てられた折り畳みコンテナーに対して移動しないように構成されている。
【００１７】
３ｊは、短側壁３の端部垂直フランジ３ｅの下端側面に形成された嵌合凹部であり、短側壁３を、底部１に対して略垂直に立てた際に、底部１の角部に形成された角部ブロック７のうち、底部１の短辺側に位置する部分が、嵌合凹部３ｊに入り込むことができるように構成されている。
【００１８】
３ｋは、短側壁３の端部垂直フランジ３ｅの端側面３ｅ１の上部に配設された上部嵌合雄部材であり、上部嵌合雄部材３ｋには、端部垂直フランジ３ｅに平行な垂壁３ｋ１と、垂壁３ｋ１に対して垂直な奥壁３ｋ２と、端部垂直フランジ３ｅとにより囲まれた、下方及び外側（下部フランジ３ｂや上部フランジ３ｄ等が形成されている側）とが開放された凹部３ｋ３が形成されている。３ｍは、上部嵌合雄部材３ｋと同様に、短側壁３の端部垂直フランジ３ｅの端側面３ｅ１の下部に配設された下部嵌合雄部材であり、下部嵌合雄部材３ｍは、端部垂直フランジ３ｅに対して垂直な水平部３ｍ１と端部垂直フランジ３ｅに平行な垂直部３ｍ２とから構成されており、下方及び両側方が開放された隙間３ｍ３を有している。
【００１９】
９は、短側壁３に配設されたロック部材であり、ロック部材９は、略Ｕ字状に形成された外側バネ部９ａと、同じく、略Ｕ字状に形成された内側バネ部９ｂと、外側バネ部９ａと内側バネ部９ａの一方の端部を連結する連結部９ｃと、外側バネ部９ａと内側バネ部９ａのもう一方の端部を連結するとともに、長側壁２に形成された後述するロック凹部に挿入されるロックブロック９ｄとにより構成されている。
【００２０】
３ｎは、短側壁３の端部垂直フランジ３ｅと内側垂直フランジ３ｆと間に形成されたロック収容部材であり、ロック収容部材３ｎは、上部フランジ３ｄに略平行で、一端が、端部垂直フランジ３ｅに連結された上部水平部３ｎ１と、内側垂直フランジ３ｆに略平行で、上端が、上部水平部３ｎ１のもう一方の端部に連結された垂直部３ｎ２と、一端が、垂直部３ｎ２の下端に連結され、他端が、内側垂直フランジ３ｆに連結された下部水平部３ｎ３とにより形成されている。また、飛び出し規制リブ３ｎ４が、垂直部３ｎ２と端部垂直フランジ３ｅとの間に張設されている。また、短側壁３の端部垂直フランジ３ｅには、ロック部材９のロックブロック９ｄが挿入可能な透孔３ｅ２が穿設されている。
【００２１】
ロック部材９は、ロック部材９のロックブロック９ｄを、短側壁３の端部垂直フランジ３ｅに形成された透孔３ｅ２に挿入するとともに、外側バネ部９ａと内側バネ部９ｂを、短側壁３の板状部３ａとロック収容部材３ｎの飛び出し規制リブ３ｎ４との間に形成された間隙に挿入することにより、短側壁３に装着されるように構成されている。
【００２２】
上述した構成を有する短側壁３を、底部１に連結するには、底部１に形成された短辺側ヒンジ雌部６を構成する突片６ａと板状部６ｂ間との間隙に、短側壁３に配設された短側壁ヒンジ雄部８の水平ピン８ｂを挿通する。この際、底部１に形成された短辺側ヒンジ雌部６を構成する突片６ａとフック６ｂ１の先端との間の間隙より、短側壁３に配設された短側壁ヒンジ雄部８の水平ピン８ｂの直径の方が大きく形成されており、従って、底部１に形成された短辺側ヒンジ雌部６に挿入された、短側壁３に配設された短側壁ヒンジ雄部８の水平ピン８ｂが、簡単には、抜け出ないように構成されている。そして、短側壁３に配設された短側壁ヒンジ雄部８の水平ピン８ｂは、底部１の上面と底部１に形成された短辺側ヒンジ雌部６を構成するフック６ｂ１との間で、上下動可能なように構成されている。
【００２３】
上述したようにして、底部１に形成された短辺側ヒンジ雌部６と短側壁３に配設された短側壁ヒンジ雄部８とからなるヒンジ結合により、底部１にヒンジ結合された短側壁３は、箱型に組み立てられた状態においては、図１０に示されているように、短側壁３に配設された短側壁ヒンジ雄部８の水平ピン８ｂが、底部１に近接した位置にある。この位置からは、短側壁３を、内側、即ち、底部１側に倒すことができるが、このままの状態で、即ち、短側壁３に配設された短側壁ヒンジ雄部８の水平ピン８ｂが、底部１に近接した位置にある状態で、短側壁３を、外側、即ち、底部１と反対方向に倒そうとすると、短側壁３に配設された短側壁ヒンジ雄部８の垂直片８ａが、底部１の短辺側外壁１ｂに当接し、従って、短側壁３の底部１と反対方向への回動が阻止されることになる。しかしながら、短側壁３を、短側壁３に形成された短側壁ヒンジ雄部８の水平ピン８ｂが、図１１に示されているように、底部１の短辺側外壁１ｂの上端を越えた位置まで持ち上げ、この状態で、短側壁３を、外側、即ち、底部１と反対方向に倒しても、短側壁３に配設された短側壁ヒンジ雄部８の垂直片８ａが、底部１の短辺側外壁１ｂに当接するようなことがなく、従って、短側壁３を、図１２に示されているように、外側、即ち、底部１と反対方向に倒すことができる。
【００２４】
次に、図１、図１３及び図１４を用いて、長側壁２について説明する。
【００２５】
長側壁２は、横長の略長方形状の板状部２ａと、板状部２ａの下端から板状部２ａに垂直に外方向に向かって延在する下部フランジ２ｂとを有しており、下部フランジ２ｂの下部の両端角部には、嵌合凹部２ｃが形成されており、長側壁２を、底部１に対して略垂直に立てた際に、底部１の角部に形成された角部ブロック７のうち、底部１の長辺側に位置する部分が、嵌合凹部２ｃに入り込むことができるように構成されている。
【００２６】
長側壁２には、板状部２ａの上端から板状部２ａに垂直に外方向に向かって延在する上部フランジ２ｄが形成されており、また、板状部２ａの両垂直縁に沿って、上部フランジ２ｄと下部フランジ２ｂの両端部を連結する端部垂直フランジ２ｅが形成されている。端部垂直フランジ２ｅは、長側壁２の板状部２ａの内面２ａ１を、若干、越えて延在しており、端部垂直フランジ２ｅの上部には、板状部２ａに略平行で、且つ、板状部２ａの中央部方向に延在する上部雌嵌合片２ｆが形成されており、また、端部垂直フランジ２ｅの下部には、板状部２ａに略平行で、且つ、板状部２ａの中央部方向に延在する、上部雌嵌合片２ｆと同様の下部雌嵌合片２ｇが形成されている。上記のように、端部垂直フランジ２ｅは、長側壁２の板状部２ａの内面２ａ１を、若干、越えて延在しているので、端部垂直フランジ２ｅに形成された上部雌嵌合片２ｆと板状部２ａとの間及び下部雌嵌合片２ｇと板状部２ａとの間には、所定の間隙が形成されることになる。
【００２７】
長側壁２の下部フランジ２ｂには、底部１の長辺に沿って形成された長辺側ヒンジ雌部４が挿入可能な、下方が開放された凹部２ｈが形成されている。本実施例においては、底部１には、３つの長辺側ヒンジ雌部４が形成されているので、３つの凹部２ｈが形成されている。凹部２ｈを構成する相対する側壁２ｈ１間には、長側壁ヒンジ雄部１０としての水平ピン１０ａが張設されている。
【００２８】
２ｉは、上部フランジ２ｄの両端部付近に形成された係止凸部であり、箱型に組み立てられた折り畳みコンテナーを段積みした際に、上に位置する箱型に組み立てられた折り畳みコンテナーの底部１に形成された長辺側係止段部１ｄが、下に位置する箱型に組み立てられた折り畳みコンテナーの上部フランジ２ｄに形成された係止凸部２ｉに接近して配置されるように構成されており、上に位置する箱型に組み立てられた折り畳みコンテナーが、下に位置する箱型に組み立てられた折り畳みコンテナーに対して、底部１の長辺方向に水平移動することが規制され、上に位置する箱型に組み立てられた折り畳みコンテナーが、下に位置する箱型に組み立てられた折り畳みコンテナーに対して移動しないように構成されている。
【００２９】
上述したように、箱型に組み立てられた折り畳みコンテナーを段積みした際には、下に位置する箱型に組み立てられた折り畳みコンテナーの短側壁３の上部フランジ３ｄに形成された係止凸部３ｉ間及び長側壁２の上部フランジ２ｄに形成された係止凸部２ｉ間には、上に位置する箱型に組み立てられた折り畳みコンテナーの底部１の短辺側に形成された短辺側係合段部１ｃ及び長辺側に形成された長辺側係止段部１ｄが、近接して配置されるように構成されているので、上に位置する箱型に組み立てられた折り畳みコンテナーの下に位置する箱型に組み立てられた折り畳みコンテナーに対する水平移動が規制されて、多くの箱型に組み立てられた折り畳みコンテナーを、安定した状態に段積みすることができる。
【００３０】
２ｊは、長側壁２の嵌合凹部２ｃを形成する天部２ｃ１から垂下された、上述した底部１の長辺側土手部１ａに形成された底部側軸受け凸部５と同様の長側壁側軸受け凸部であり、長側壁側軸受け凸部２ｊには、底部側軸受け凸部５に穿設された水平な軸孔５ａと同様の長側壁２の幅方向に沿った水平な軸孔２ｊ１が穿設されている。なお、２ｋは、長側壁２の板状部２ａの外面に、必要に応じて形成された水平状、垂直状或いは傾斜状のリブである。上述した下部フランジ２ｂ、上部フランジ２ｄ、端部垂直フランジ２ｅや垂直状或いは傾斜状のリブ２ｋは、板状部２ａの同じ面に形成されており、箱型に折り畳みコンテナーを組み立てた際には、外側に位置するように構成されている。
【００３１】
上述した構成を有する長側壁２を、底部１に連結するには、底部１に形成された長辺側ヒンジ雌部４を構成するフック４ｂの先端と長辺側外壁１ａ１との間に形成された間隙に、長側壁２に配設された長側壁ヒンジ雄部１０の水平ピン１０ａを挿通し、底部１に形成された長辺側ヒンジ雌部４を構成するフック４ｂに、長側壁２に配設された長側壁ヒンジ雄部１０の水平ピン１０ａを係合させる。この際、底部１に形成された長辺側ヒンジ雌部４を構成するフック４ｂの先端と長辺側外壁１ａ１との間の間隙より、長短側壁２に配設された長側壁ヒンジ雄部１０の水平ピン１０ａの直径の方が大きく形成されており、従って、底部１に形成された長辺側ヒンジ雌部４を構成するフック４ｂと長辺側外壁１ａ１との間に形成された間隙に挿通された、長側壁２に配設された長側壁ヒンジ雄部１０の水平ピン１０ａは、簡単には、底部１に形成された長辺側ヒンジ雌部４から抜け出ないように構成されている。
【００３２】
また、長側壁２の嵌合凹部２ｃを形成する天部２ｃ１から垂下された長側壁側軸受け凸部２ｊを、底部１の長辺側土手部１ａの両端部付近に形成された底部側軸受け凸部５と角部ブロック７との間に形成された間隙に挿入するとともに、底部１の長辺側土手部１ａに形成された底部側軸受け凸部５を、長側壁側軸受け凸部２ｊに隣接して、長側壁２の中央寄りに形成された凹部２ｍに挿入する。その後、軸ピン１１を、底部１に形成された角部ブロック７の軸孔７ｃ、長側壁２の長側壁側軸受け凸部２ｊに穿設された軸孔２ｊ１、底部１の長辺側土手部１ａに形成された底部側軸受け凸部５に穿設された軸孔５ａ及び凹部２ｍを構成する側面２ｍ１に穿設された軸孔２ｍ２に挿通することにより、長側壁２の両端部と底部１の長辺側とを枢支するように構成されている。
【００３３】
長側壁２の端部垂直フランジ２ｅには、その板状部２ａの内部側に位置する面（折り畳みコンテナーが組み立てられた際に、短側壁３に対向する面）に、上部凹部２ｐ及び下部凹部２ｑが形成されている。そして、端部垂直フランジ２ｅに形成された、上述した上部雌嵌合片２ｆと下部雌嵌合片２ｇとの間に、上部凹部２ｐが形成されており、また、下部雌嵌合片２ｇの下方に下部凹部２ｑが形成されている。なお、上部雌嵌合片２ｆの下端及び下部雌嵌合片２ｇの下端には、端部垂直フランジ２ｅに連結されるとともに、板状部２ａに略垂直な、上部雌嵌合片２ｆ及び下部雌嵌合片２ｇを補強するための水平片２ｆ１、２ｇ１を、それぞれ形成することもできる。
【００３４】
図２に示されているように、短側壁３が、底部１の上に折り畳まれた状態から、図１５に示されているように、長側壁２を、底部１側に倒して、図３に示されているように、折り畳みコンテナーをコンパクトに折り畳む折り畳み作業が行われるが、長側壁２を、底部１側に倒した際には、長側壁２の端部垂直フランジ２ｅに形成された上部凹部２ｐ及び下部凹部２ｑに、底部１の短辺側に形成された短辺側ヒンジ雌部６の突片６ａや板状部６ｂが挿入されるように構成されている。このように、折り畳みコンテナーを折り畳んだ際に、長側壁２の端部垂直フランジ２ｅに形成された上部凹部２ｐ及び下部凹部２ｑに、底部１の短辺側に形成された短辺側ヒンジ雌部６が挿入されるように構成されているので、折り畳んだ状態の折り畳みコンテナーの高さを、より低くすることができる。
【００３５】
また、折り畳んだ状態において、上述したように、底部１の短辺側ヒンジ雌部６が、長側壁２の端部垂直フランジ２ｅに形成された上部凹部２ｐ及び下部凹部２ｑに挿入されるので、強度的に弱い短辺側ヒンジ雌部６が保護され、短辺側ヒンジ雌部６に外力が加わって損傷するようなことが防止できる。特に、折り畳まれた折り畳みコンテナーを多数、段積みした際に、上から短辺側ヒンジ雌部６に力が加わると、短辺側ヒンジ雌部６が破損することがあるが、このような場合にも、底部１の短辺側ヒンジ雌部６が、長側壁２に形成された上部凹部２ｐ及び下部凹部２ｑに挿入され、保護されているので、破損するようなことが防止できる。
【００３６】
上述したようにして、組み立てられた折り畳みコンテナーは、図３に示されているように、折り畳まれた状態から、図２に示されているように、長側壁２を、略垂直に立て、次いで、図１に示されているように、短側壁３を、略垂直に立てるが、短側壁３が、略垂直に立てられた際には、短側壁３の端部垂直フランジ３ｅに形成された透孔３ｅ２に挿入されているロック部材９のロックブロック９ｄが、ロック部材９の外側バネ部９ａ及び内側バネ部９ａの付勢力により、長側壁２の端部垂直フランジ２ｅに形成された上部凹部２ｐに嵌合され、組み立てられた短側壁３が、長側壁２に対してロックされ、短側壁３が、底部１方向に倒れないように構成されている。
【００３７】
組み立てられた状態の折り畳みコンテナーを、折り畳む際には、ロック部材９の外側バネ部９ａ及び内側バネ部９ａの長側壁側部分９ａ１、９ｂ１を、外側バネ部９ａ及び内側バネ部９ａの付勢力に抗して、短側壁３の中央寄りに移動させて、ロック部材９のロックブロック９ｄを、長側壁２の端部垂直フランジ２ｅに形成された上部凹部２ｐから排出させる。次いで、短側壁３を、折り畳みコンテナーを折り畳むために、底部１方向に倒すためには、そのまま、短側壁３を、上方に持ち上げることなく、底部１方向に倒す。
【００３８】
また、折り畳みコンテナーに、ぎっしりと隙間のないように収容された物品を取り出す際には、ロック部材９の外側バネ部９ａ及び内側バネ部９ａの長側壁側部分９ａ１、９ｂ１を、外側バネ部９ａ及び内側バネ部９ａの付勢力に抗して、短側壁３の中央寄りに移動させて、ロック部材９のロックブロック９ｄを、長側壁２の端部垂直フランジ２ｅに形成された上部凹部２ｐから排出させた状態で、短側壁３を、図１１に示されているように、上方に持ち上げ、その後、短側壁３を、図１２に示されているように、底部１と反対方向に倒すことにより、箱型に組み立てられた折り畳みコンテナーの短側壁３側を開放することができる。
【００３９】
上述したように、短側壁３の両端部付近に配設されたロック部材９のロックブロック９ｄを、長側壁２の端部垂直フランジ２ｅに形成された上部凹部２ｐに嵌合させることにより、箱型に組み立てられた状態において、後から立てられる短側壁３が、短側壁３に加えられるコンテナー内側方向への外力により、簡単に、長側壁２との係合状態が解除されて、コンテナー内側方向に倒れるようなことが防止できる。
【００４０】
従来の折り畳みコンテナーの場合には、短側壁３と長側壁２とが、係止爪と係止突起の係止部材により、係合されているだけであるので、短側壁３に外力が加わると、簡単に、係止爪と係止突起とによる係合状態が解除されて、短側壁３が倒れるというトラブルが頻発したり、或いは、長期間の使用により係止爪が摩耗したり、変形したりすると、簡単に、係止爪と係止突起とによる係合状態が解除されて、短側壁３が倒れるというトラブルが発生していた。しかしながら、本発明の実施例のように、短側壁３の両端部付近に配設されたロック部材９のロックブロック９ｄを、長側壁２の端部垂直フランジ２ｅに形成された上部凹部２ｐに挿入し嵌合するように構成することにより、従来の係止爪と係止突起とによる係止状態に比べ、後から立てられる短側壁３が、簡単に、長側壁２との係合状態が解除されて、コンテナー内側方向に倒れるようなことがない。
【００４１】
また、ロック部材９の外側バネ部９ａ及び内側バネ部９ａの長側壁側部分９ａ１、９ｂ１を、外側バネ部９ａ及び内側バネ部９ａの付勢力に抗して、短側壁３の中央寄りに移動させて、短側壁３と長側壁２とのロック部材９による係合を解除した後、そのままの状態で、ロック部材９を、上方に持ち上げることにより、短側壁３を持ち上げることができるので、迅速に、且つ、確実に、短側壁３を、底部１と反対方向に倒すことができる。型に組み立てられた折り畳みコンテナーの短側壁３側を開放することができる。
【００４２】
上述したように、折り畳みコンテナーを、図３に示されている折り畳みコンテナーが折り畳まれた状態から、図１に示されているように、箱型に組み立てる際には、最初に．略水平状態に折り畳まれた長側壁２を、略垂直に立て、次いで、略水平状態に折り畳まれた短側壁３を、垂直方向に回動させるが、短側壁３が、略垂直に立てられた状態においては、短側壁３の端部垂直フランジ３ｅの端側面３ｅ１の上部に配設された上部嵌合雄部材３ｋの垂壁３ｋ１が、長側壁２の板状部２ａの内面２ａ１と上部雌嵌合片２ｆとにより形成される間隙に挿入され、また、短側壁３の端部垂直フランジ３ｅの端側面３ｅ１の下部に配設された下部嵌合雄部材３ｍの垂直部３ｍ２が、長側壁２の板状部２ａの内面２ａ１と下部雌嵌合片２ｇとにより形成される間隙に挿入されるように構成されている。そして、長側壁２の端部垂直フランジ２ｅの上部に形成された上部雌嵌合片２ｆは、短側壁３の端部垂直フランジ３ｅの端側面３ｅ１の上部に配設された上部嵌合雄部材３ｋの凹部３ｋ３に挿入され、また、長側壁２の端部垂直フランジ２ｅの下部に形成された下部雌嵌合片２ｇは、短側壁３の端部垂直フランジ３ｅの端側面３ｅ１の下部に配設された下部嵌合雄部材３ｍの隙間３ｍ３に挿入されるように構成されている。
【００４３】
図１に示されている箱型に組み立てられた状態の折り畳みコンテナーの短側壁３を、底部１に対して反対側に倒す際に、上述したように、短側壁３を、上方に持ち上げると、長側壁２の板状部２ａの内面２ａ１と上部雌嵌合片２ｆ及び下部雌嵌合片２ｇとにより形成された間隙から、短側壁３の端部垂直フランジ３ｅに形成された上部嵌合雄部材ブロック３ｋ及び下部嵌合雄部材３ｍが排出されるとともに、図１１に示されているように、短側壁３に形成された短側壁ヒンジ雄部８の水平ピン８ｂが、底部１の短辺側外壁１ｂの上端を越えた位置まで持ち上げられるので、この状態で、短側壁３を、外側、即ち、底部１と反対方向に倒すことが可能になる。
【００４４】
上述したように、折り畳まれた状態の折り畳みコンテナーを、箱型に組み立てるには．先ず最初に、長側壁２を、底部１に対して、略垂直に立て、次いで、短側壁３を、垂直方向に回動させて、略垂直に立てることになるが、この短側壁３の垂直方向への回動作業の際に、誤って、短側壁３が、垂直位置を越えて、底部１の反対側に回動しないように、短側壁３の端部垂直フランジ３ｅの端側面３ｅ１の上部に配設された上部嵌合雄部材３ｋには、上述した奥壁３ｋ２が形成されている。短側壁３を、垂直方向に回動させて、略垂直に立てる際には、長側壁２の端部垂直フランジ２ｅの上部に形成された上部雌嵌合片２ｆが、短側壁３の端部垂直フランジ３ｅの端側面３ｅ１の上部に配設された上部嵌合雄部材３ｋの凹部３ｋ３に挿入さるが、短側壁３が略垂直に立てられた際には、短側壁３に配設された上部嵌合雄部材３ｋの奥壁３ｋ２に、先に立てられた長側壁２の端部垂直フランジ２ｅに形成された上部雌嵌合片２ｆが当接するように構成されているので、短側壁３が、垂直位置を越えて、底部１の反対側に回動するようなことが防止されるように構成されている。
【００４５】
上述した実施例には、短側壁３が、底部１に対して、底部１方向及び底部１と反対方向に倒れるように構成された例が示されているが、相対する短側壁３の一方のみ、或いは、相対する短側壁３の両方を、底部１に対して、底部１方向及び底部１と反対方向に倒れるように構成することもでき、また、長側壁２の一方或いは両方を、底部１方向及び底部１と反対方向に倒れるように構成することもできる。
【００４６】
上述したように、短側壁３が、底部１に対して、底部１と反対方向に倒れるように構成されているので、箱型に組み立てられた折り畳みコンテナーの所定の側方を開放することができ、従って、箱型に組み立てられた折り畳みコンテナーに、ぎっしりと隙間のないように収容されている物品を、開口された側方から、容易に、取り出すことができ、箱型に組み立てられた折り畳みコンテナーからの物品の取り出し作業の作業性が向上する。
【００４７】
また、箱型に組み立てられた折り畳みコンテナーの所定の側方を開放することにより、箱型に組み立てられた折り畳みコンテナーへの物品の収容自由度が増えるとともに、箱型に組み立てられた折り畳みコンテナーの所定の側方を開放することにより、特に、重い物品等を、側壁を越えて上方まで持ち上げる必要がないので、箱型に組み立てられた折り畳みコンテナーへの物品の収容作業の際の作業者への負担が軽減される。
【００４８】
【発明の効果】
本発明は、以上説明した構成を有しているので、以下に記載する効果を奏するものである。
【００４９】
後から倒される側壁の両端部に、底部に配設されたヒンジ雌部が挿入可能な凹部を形成したので、折り畳みコンテナーを折り畳んだ際に、折り畳んだ状態の折り畳みコンテナーの高さを、より低くすることができる。
【００５０】
また、後から倒される側壁の両端部に、底部に配設されたヒンジ雌部が挿入可能な凹部を形成したので、強度的に弱い短辺側ヒンジ雌部が保護され、従って、ヒンジ雌部に外力が加わって損傷するようなことが防止できる。
【図面の簡単な説明】
【図１】図１は本発明の折り畳みコンテナーが箱型に組み立てられた状態の斜視図である。
【図２】図２は本発明の折り畳みコンテナーの折り畳み途中の斜視図である。
【図３】図３は本発明の折り畳みコンテナーが折り畳まれた状態の斜視図である。
【図４】図４は本発明の折り畳みコンテナーが箱型に組み立てられた状態から短側壁が持ち上げられた状態の斜視図である。
【図５】図５は本発明の折り畳みコンテナーの一方の短側壁が外側に倒された状態の斜視図である。
【図６】図６は本発明の折り畳みコンテナーの底部の斜視図である。
【図７】図７は本発明の折り畳みコンテナーの短側壁の斜視図である。
【図８】図８は本発明の折り畳みコンテナーの短側壁の部分斜視図である。
【図９】図９は本発明の折り畳みコンテナーのロック部材の斜視図である。
【図１０】図１０は本発明の箱型に組み立てられた折り畳みコンテナーの長側壁に沿った部分垂直側断面図である。
【図１１】図１１は本発明の折り畳みコンテナーの短側壁が持ち上げられた状態の図１０と同様の部分垂直側断面図である。
【図１２】図１２は本発明の折り畳みコンテナーの短側壁が外側に倒された状態の図１０と同様の部分垂直側断面図である。
【図１３】図１３は本発明の折り畳みコンテナーの長側壁の斜視図である。
【図１４】図１４は本発明の折り畳みコンテナーの長側壁と底部の部分分解斜視図である。
【図１５】図１５は本発明の折り畳みコンテナーの長側壁の折り畳み状態を示す部分斜視図である。
【図１６】図１６は本発明の折り畳みコンテナーの短側壁が立てられる状態を示す部分斜視図である。
【図１７】図１７は本発明の折り畳みコンテナーの短側壁と長側壁が略垂直に立てられた状態を示す部分斜視図である。
【符号の説明】
１・・・・・・・・・・・・底部
２・・・・・・・・・・・・長側壁
３・・・・・・・・・・・・短側壁
４・・・・・・・・・・・・長辺側ヒンジ雌部
６・・・・・・・・・・・・端辺側ヒンジ雌部
８・・・・・・・・・・・・短側壁ヒンジ雄部
９・・・・・・・・・・・・ロック部材
【図１】
0004167800.tif 000002
【図２】
0004167800.tif 000003
【図３】
0004167800.tif 000004
【図４】
0004167800.tif 000005
【図５】
0004167800.tif 000006
【図６】
0004167800.tif 000007
【図７】
0004167800.tif 000008
【図８】
0004167800.tif 000009
【図９】
0004167800.tif 000010
【図１０】
0004167800.tif 000011
【図１１】
0004167800.tif 000012
【図１２】
0004167800.tif 000013
【図１３】
0004167800.tif 000014
【図１４】
0004167800.tif 000015
【図１５】
0004167800.tif 000016
【図１６】
0004167800.tif 000017
【図１７】
0004167800.tif 000018